(57)【要約】【課題】本発明は、集積部の数を増やさずに、スタッカが満杯になっても動作を停止させることの無い紙幣処理装置を提供することを目的とする。【解決手段】本発明によれば、載置された紙幣を受け入れる受入部１０１と、前記受入部１０１から受け入れられた紙幣を搬送する搬送部２０２と、前記搬送部２０２によって搬送された紙幣を集積する複数の集積部１０４と、前記受入部１０１から受け入れられた紙幣を識別する識別部２０１と、前記受入部１０１から受け入れられた紙幣を収納し、当該紙幣を繰り出し可能な収納繰出部１０３と、前記受入部１０１、前記搬送部２０２、前記複数の集積部１０４、前記識別部２０１及び前記収納繰出部１０３を制御する制御部３００を備え、前記制御部３００は、前記識別部２０１の識別結果に基づいて前記複数の集積部１０４の中から搬送先集積部を決定し、前記決定された搬送先集積部に集積できない場合は前記収納繰出部１０３へ紙幣を搬送することを特徴とする紙幣処理装置が提供される。【選択図】図５
2008046870.tif 000002
【特許請求の範囲】
【請求項１】
載置された紙幣を受け入れる受入部と、
前記受入部から受け入れられた紙幣を搬送する搬送部と、
前記搬送部によって搬送された紙幣を集積する複数の集積部と、
前記受入部から受け入れられた紙幣を識別する識別部と、
前記受入部から受け入れられた紙幣を収納し、当該紙幣を繰り出し可能な収納繰出部と、
前記受入部、前記搬送部、前記複数の集積部、前記識別部及び前記収納繰出部を制御する制御部を備え、
前記制御部は、前記識別部の識別結果に基づいて前記複数の集積部の中から搬送先集積部を決定し、前記決定された搬送先集積部に集積できない場合は前記収納繰出部へ紙幣を搬送することを特徴とする紙幣処理装置。
【請求項２】
請求項１に記載の紙幣処理装置であって、
前記収納繰出部は、帯状体、前記帯状体の一端と接続された回転軸及び前記帯状体を供給する複数の帯状体供給部を有し、前記複数の帯状体供給部が前記帯状体を供給する方向に回転することによって、前記紙幣が挟持され、前記複数の帯状体供給部が前記帯状体を巻き取る方向に回転することによって、前記紙幣が繰り出されることを特徴とする紙幣処理装置。
【請求項３】
請求項１又は２に記載の紙幣処理装置であって、
前記収納繰出部に収納された紙幣に関する収納情報を記憶可能な記憶部をさらに備え、
前記制御部は、前記収納繰出部へ紙幣を搬送する場合に、前記収納情報を前記記憶部に記憶し、前記収納繰出部から紙幣を繰り出す場合に、前記記憶部に記憶された収納情報に基づいて前記複数の集積部の中から搬送先集積部を決定することを特徴とする紙幣処理装置。
【請求項４】
請求項３に記載の紙幣処理装置であって、
前記制御部は、前記識別部の識別結果に基づいて取引情報を前記記憶部に記憶し、前記取引情報に基づいて前記受入部によって受け入れられた紙幣の合計金額を確定することを特徴とする紙幣処理装置。
【請求項５】
請求項１〜４のいずれか１項に記載の紙幣処理装置であって、
前記制御部は、前記集積部に集積された紙幣の数が所定の枚数未満である場合に集積できると判断することを特徴とする紙幣処理装置。
【請求項６】
請求項５に記載の紙幣処理装置であって、
前記所定の枚数は、前記集積部の集積可能枚数であることを特徴とする紙幣処理装置。
【請求項７】
請求項１〜６のいずれか１項に記載の紙幣処理装置であって、
前記搬送先集積部が集積できないことを報知する報知部を備え、
前記制御部は、前記搬送先集積部が集積できない場合に前記報知部を制御することを特徴とする紙幣処理装置。
【請求項８】
請求項７に記載の紙幣処理装置であって、
前記報知部は、文字、音又は光を用いて報知することを特徴とする紙幣処理装置。
【請求項９】
請求項７又は８に記載の紙幣処理装置であって、
前記制御部は、前記報知部を制御した後、前記受入部に紙幣が載置された場合に前記受入部を制御することを特徴とする紙幣処理装置。
【請求項１０】
請求項７又は８に記載の紙幣処理装置であって、
前記制御部は、前記報知部を制御した後、前記搬送先集積部が集積できるようになった場合に前記収納繰出部によって繰り出された紙幣を前記搬送先集積部へ搬送することを特徴とする紙幣処理装置。
【請求項１１】
請求項１〜１０のいずれか１項に記載の紙幣処理装置であって、
前記制御部は、前記受入部及び前記収納繰出部に紙幣が存在する場合は、前記受入部を優先して制御することを特徴とする紙幣処理装置。
【請求項１２】
請求項１１に記載の紙幣処理装置であって、
前記制御部は、前記収納繰出部を制御する場合に、前記受入部に紙幣が存在するか否かを判断することを特徴とする紙幣処理装置。
【発明の詳細な説明】
【技術分野】
【０００１】
本発明は、複数の集積部を有し、複数金種が混在された紙幣を仕分け、所定の集積部に搬送するとともに紙幣の合計金額を計数する紙幣処理装置に関し、特に、搬送先集積部に集積できない場合であっても、効率的に紙幣を搬送できる紙幣処理装置に関する。
【背景技術】
【０００２】
近年、多量の紙幣を真偽判別し、金種別に分類し、計数し又は結束する等の処理を行う紙幣処理装置が金融機関等で用いられる。
【０００３】
このような紙幣処理装置は、複数金種の紙幣を仕分け、所定の集積部に搬送するものである。従って、集積部の数又は容量を増やすことによって処理効率を向上させることができる。
【０００４】
このような紙幣処理装置として、特許文献１に示された紙幣処理装置がある。特許文献１に示された紙幣処理装置は、ホッパー１１に載置された紙幣を順次取り込み、金種毎に定められたスタッカ１２１〜１２３へ搬送する紙幣処理装置であって、１つのスタッカが満杯になった場合は自動的に一時停止し（ステップＳ２３）、オペレータが満杯になったスタッカを抜取り（Ｓ２４）、“ＳＴＡＲＴ／ＳＴＯＰ”キー２４１を押下して再スタートする（Ｓ２５）ものである（段落００２６、図６参照）。また、紙幣の計数（Ｓ１１）は、紙幣搬送（Ｓ１０）後に行われる。
【０００５】
しかし、集積部の数又は容量を増やす場合は、紙幣処理装置の規模が大きくなり、製造コスト及び設置コストが増大する。
【０００６】
また、特許文献１に記載された紙幣処理装置は、１つのスタッカが満杯になった場合には、残りのスタッカが満杯でない場合であっても一時停止をするので、その分、処理効率が低下していた。
【特許文献１】特開２００５−１６５８０６号公報
【発明の開示】
【発明が解決しようとする課題】
【０００７】
本発明は、集積部の数を増やさずに、スタッカが満杯になっても動作を停止させることの無い紙幣処理装置を提供することを目的とする。
【課題を解決するための手段】
【０００８】
本発明によれば、載置された紙幣を受け入れ可能な受入部と、前記受入部から受け入れられた紙幣を搬送可能な搬送部と、前記搬送部によって搬送された紙幣を集積可能な複数の集積部と、前記受入部から受け入れられた紙幣を識別可能な識別部と、紙幣を収納し、繰り出し可能な収納繰出部と、前記受入部、前記搬送部、前記複数の集積部、前記識別部及び前記収納繰出部を制御する制御部を備え、前記制御部は、前記識別部の識別結果に基づいて前記複数の集積部の中から搬送先集積部を決定し、前記決定された搬送先集積部に集積できない場合は前記収納繰出部へ紙幣を搬送することを特徴とする紙幣処理装置が提供される。
【発明の効果】
【０００９】
本発明によれば、複数の集積部のうち１つの集積部が集積できない場合は収納繰出部に収納するので、１つの集積部が満杯になっても装置を停止する必要が無い。従って、従来に比べて紙幣処理装置の処理効率を向上させることができる。
【発明を実施するための最良の形態】
【００１０】
以下に、図面を参照して、本発明の実施例を説明する。なお、以下に示された実施例は一例であって、本発明を限定するものではない。
【実施例１】
【００１１】
図１は、紙幣処理装置の外部構造を示す斜視図である。
【００１２】
紙幣処理装置は、受入部１０１、返却部１０２、収納繰出部１０３、集積部１０４、報知部１０５及び操作表示部１０６を含む。なお、集積部１０４及び報知部１０５の数は、２以上であればいくつでも良い。
【００１３】
受入部１０１は、操作者によって載置された紙幣を装置内に受け入れる機構を有する。返却部１０２は、受入部１０１によって受け入れられた紙幣を返却する（いわゆる、リジェクト）する機構を有する。収納繰出部１０３は、受入部１０１によって受け入れられた紙幣を収納する機構及び収納された紙幣を集積部１０４に繰り出す機構を有する。集積部１０４は、受入部１０１によって受け入れられた紙幣を集積する機構を有する。報知部１０５は、集積部１０４に対応して設けられ、文字、音又は光を出力する機構を有する。操作表示部１０６は、操作者からの指示を受け付けるためのキー及び操作者に対して情報を表示するための表示パネルを有する。
【００１４】
図２は、紙幣処理装置の内部構造を示す概略図である。
【００１５】
紙幣処理装置は、識別部２０１及び搬送部２０２を有する。識別部２０１は、受入部１０１によって受け入れられた紙幣の金種及び正券か否かを識別する機構を有する。搬送部２０２は、受入部１０１、返却部１０２、収納繰出部１０３及び集積部１０４の間で紙幣を搬送する機構並びに複数の集積部１０４毎に搬送した紙幣の数を計数するための機構を有する。
【００１６】
収納繰出部１０３は、帯状体２０３、回転軸２０４及び２つの帯状体供給部２０５を有する。２つの帯状体供給部２０５はそれぞれ、帯状体２０３を巻回する。２つの帯状体供給部２０５がそれぞれ、帯状体２０３を供給する方向（図２では、時計回り）に回転することによって、２つの帯状体供給部２０５から供給された帯状体２０３が搬送部２０２によって搬送された紙幣を挟持し、順次収納する。一方、２つの帯状体供給部２０５がそれぞれ、帯状体を巻き取る方向（図２では、反時計回り）に回転することによって、収納された紙幣を順次繰り出す。繰り出される紙幣の順番は、収納された紙幣の順番の逆順である。
【００１７】
図３は、受入部１０１、収納繰出部１０３、集積部１０４、報知部１０５、操作表示部１０６、識別部２０１及び搬送部２０２を制御する制御部３００の機能を示すブロック図である。
【００１８】
制御部３００は、受入部１０１、収納繰出部１０３、集積部１０４、報知部１０５、操作表示部１０６、識別部２０１及び搬送部２０２に動作指示を行う。受入部１０１、収納繰出部１０３、集積部１０４、報知部１０５、操作表示部１０６、識別部２０１及び搬送部２０２は、制御部３００からの動作指示に従って動作する。
【００１９】
制御部３００は、搬送先集積部決定手段３０１、集積可否判断手段３０２、記憶部制御手段３０３及び記憶部３０４を有する。
【００２０】
搬送先集積部決定手段３０１は、識別部２０１によって識別された識別結果又は後述する記憶部３０４に記憶された紙幣情報に基づいて集積部１０４の中から搬送先集積部を決定する。集積可否判断手段３０２は、搬送先集積部決定手段３０１によって決定された搬送先集積部が集積可能か否かを判断する。記憶部制御手段３０３は、記憶部３０４との間で情報の読み出し及び書き込みを行う。記憶部３０４は、後述する取引情報４０１、収納情報４０２及び集積部情報４０３記憶する。
【００２１】
図４は、記憶部３０４に記憶された情報を示す概略図である。
【００２２】
取引情報４０１は、取引毎に異なる取引コード及び取引コード毎の合計金額（受入部１０１によって受け入れられた正券紙幣の合計金額）から成る。
【００２３】
収納情報４０２は、取引コード、収納繰出部１０３に収納された紙幣の金種及び収納繰出部１０３に収納された紙幣の搬送先集積部から成る。収納情報４０２は、収納繰出部１０３に収納された順に記憶され、繰り出された紙幣の情報は削除される。図４の例では、一万円札、二千円札、一万円札、千円札及び五千円札の順に収納されたことを示す。また、収納された紙幣は当該順の逆順で繰り出される。従って、最初は、五千円札が集積部ｂに繰り出される。
【００２４】
集積部情報４０３は、集積部を識別する情報及び集積部の集積条件から成る。図４の例では、集積部ａは、ＦＵＬＬ（集積部の最大集積枚数）に達したら集積不可となり、集積部ｂは２００枚（予め設定された枚数）に達したら集積不可となり、集積部ｃは５００枚（予め設定された枚数）に達したら集積不可となり、集積部ｄは１０００枚（予め設定された枚数）に達したら集積不可となる。
【００２５】
図５は、受入部１０１に載置された紙幣を集積する場合の制御部３００の処理を示すフローチャートである。
【００２６】
はじめに、受入部１０１の制御を開始することによって、載置された紙幣を受け入れる（Ｓ５０１）。続いて、搬送部２０２の制御を開始することによって、所定の目的地へ紙幣を搬送する（Ｓ５０２）。続いて、識別部２０１を制御することによって、受け入れられた紙幣の金種及び正券か否かを識別する（Ｓ５０３）。続いて、識別部２０１の識別結果に基づいて正券か否かを判断する（Ｓ５０４）。Ｓ５０１〜５０４の処理は、受入部１０１、搬送部２０２及び識別部２０１の制御を停止することなく連続的に行われる。
【００２７】
正券ではない場合は（Ｓ５０４−Ｎｏ）、返却部１０２へ紙幣を搬送する（Ｓ５０５）。続いて、受入部１０１に紙幣があるか否か判断する（Ｓ５１３）。  一方、正券である場合は（Ｓ５０４−Ｙｅｓ）、取引情報４０１を記憶部３０４に記憶する（Ｓ５０６）。ここで、同じ取引コードの取引情報４０１が記憶部３０４に記憶されていた場合は、当該取引情報を更新する。続いて、識別部２０１の識別結果に基づいて搬送先集積部を決定する（Ｓ５０７）。続いて、当該搬送先集積部が集積可能か否か判断する（Ｓ５０８）。当該判断は、例えば、搬送部２０２によって計数された複数の集積部１０４毎の集積された紙幣の数を取得し、記憶部３０４に記憶された集積部情報４０３と照合することによって行う。一度、集積不可能となった場合であっても、当該集積不可能となった集積部に集積された紙幣が結束される等して抜き取られることによって、集積不可能な状態は解消する。
【００２８】
集積可能な場合は（Ｓ５０８−Ｙｅｓ）、搬送先集積部へ紙幣を搬送する（Ｓ５０９）。続いて、受入部１０１に紙幣があるか否か判断する（Ｓ５１３）。
【００２９】
一方、集積不可能な場合は（Ｓ５０８−Ｎｏ）、報知部１０５を制御することによって、集積できない集積部の存在を操作者に報知する（Ｓ５１０）。続いて、搬送部２０２を制御することによって、収納繰出部１０３に紙幣を搬送する（Ｓ５１１）。続いて、収納情報４０２を記憶部３０４に記憶する（Ｓ５１２）。続いて、受入部１０１に紙幣があるか否か判断する（Ｓ５１３）。
【００３０】
受入部１０１に紙幣がある場合は（Ｓ５１３−Ｙｅｓ）、受入部１０１を停止することなく、Ｓ５０１〜Ｓ５１２の処理を繰り返す。
【００３１】
一方、受入部１０１に紙幣がない場合は（Ｓ５１３−Ｎｏ）、受入部１０１の制御を停止する（Ｓ５１４）。続いて、搬送部２０２に紙幣があるか否か判断する（Ｓ５１５）。
【００３２】
搬送部に紙幣がある場合は（Ｓ５１５−Ｙｅｓ）、搬送部２０２を停止することなく、Ｓ５０３〜Ｓ５１２の処理を繰り返す。
【００３３】
一方、搬送部に紙幣がない場合は（Ｓ５１５−Ｎｏ）、搬送部２０２を停止して、図５に示されたフローを終了する。
【００３４】
図６は、収納繰出部１０３に収納された紙幣を繰り出す場合の制御部３００の処理を示すフローチャートである。
【００３５】
はじめに、全ての集積部１０４が集積可能か否か判断する（Ｓ６０１）。集積できない集積部が少なくとも１つある場合は（Ｓ６０１−Ｎｏ）、集積可能になるまで待機する。
【００３６】
全ての集積部が集積可能になった場合は（Ｓ６０１−Ｙｅｓ）、報知部１０５を制御することによって、報知を解除する（Ｓ６０２）。続いて、収納繰出部１０３及び搬送部２０２の制御を開始する（Ｓ６０３）。本実施例では、収納順と逆順（すなわち、最後に収納された紙幣を最初）に繰り出す。続いて、記憶部３０４に記憶された収納情報４０２を参照する（Ｓ６０４）。本実施例では、記憶順と逆順に参照する（すなわち、記憶部３０４の収納情報４０２を記憶する領域はＦＩＦＯメモリとして機能する）。続いて、収納情報４０２に含まれる搬送先集積部に基づいて搬送先集積部を決定する（Ｓ６０５）。続いて、当該搬送先集積部が集積可能か否か判断する（Ｓ６０６）。当該判断は、図５に示されたＳ５０８と同様に行う。
【００３７】
集積不可能な場合は（Ｓ６０６−Ｎｏ）、報知部１０５を制御することによって、再び報知を開始する（Ｓ６０７）。続いて、収納繰出部１０３及び搬送部２０２の制御を停止し（Ｓ６０８）、Ｓ６０１へ戻る。
【００３８】
一方、集積可能な場合は（Ｓ６０６−Ｙｅｓ）、当該紙幣を搬送先集積部へ搬送する（Ｓ６０９）。続いて、収納繰出部１０３に紙幣があるか否か判断する（Ｓ６１０）。
【００３９】
収納繰出部１０３に紙幣がある場合は（Ｓ６１０−Ｙｅｓ）、Ｓ６０４へ戻る。
【００４０】
一方、収納繰出部１０３に紙幣がない場合は（Ｓ６１０−Ｎｏ）、収納繰出部１０３の制御を停止する（Ｓ６１１）。続いて、搬送部２０２に紙幣があるか否か判断する（Ｓ６１２）。続いて、搬送部２０２に紙幣がなくなるのを待って（Ｓ６１２−Ｎｏ）、搬送部２０２の制御を停止し（Ｓ６１３）、図６に示されたフローを終了する。
【００４１】
実施例１によれば、複数の集積部１０４のうち少なくとも１つの集積部に集積できなくなった場合は、集積できない紙幣を収納繰出部１０３に収納する。従って、集積部１０４の集積可否によらず、紙幣処理装置の動作を停止することなく、受入部１０１に載置された紙幣を紙幣処理装置内に受け入れることができ、処理効率を向上させることができる。
【００４２】
また、複数の集積部１０４のうち、集積できる集積部１０４に搬送する紙幣については集積部１０４に搬送する。従って、複数の集積部１０４のうち一部が集積できなくなった場合の処理効率への影響を最小限に留めることができる。
【００４３】
また、記憶部３０４に収納情報４０２を記憶し、収納繰出部１０３から紙幣を繰り出す際に収納情報４０２を参照するので、繰り出す際に再度の識別処理（Ｓ５０３）が不要となり、処理効率を向上させることができる。
【００４４】
また、集積部１０４に紙幣が集積される前に取引情報４０１が記憶又は更新する。従って、集積部１０４に集積する前に取引情報４０１（取引の合計金額）を確定することができる。
【実施例２】
【００４５】
実施例２では、実施例１に加えて、受入部１０１の紙幣の受け入れ処理を優先する実施例を示す。
【００４６】
図７は、実施例２に係る制御装置３００の処理を示すフローチャートである。
【００４７】
はじめに、全ての集積部１０４が集積可能か否か判断する（Ｓ７０１）。
【００４８】
集積できない集積部１０４が少なくとも１つある場合は（Ｓ７０１−Ｎｏ）、受入部１０１に紙幣があるか否か判断する（Ｓ７０２）。続いて、受入部１０１に紙幣がある場合は（Ｓ７０２−Ｙｅｓ）、図５に示されたＳ５０１へジャンプする。一方、受入部１０１に紙幣がない場合は（Ｓ７０２−Ｎｏ）、Ｓ７０１へ戻る。
【００４９】
全ての集積部１０４が集積可能な場合は（Ｓ７０１―Ｙｅｓ）、Ｓ６０２〜Ｓ６０３と同様の処理をする。続いて、受入部１０１に紙幣があるか否か判断する（Ｓ７０３）。
【００５０】
受入部１０１に紙幣がある場合は（Ｓ７０３−Ｙｅｓ）、収納繰出部１０３及び搬送部２０２の制御を停止し（Ｓ７０４）、図５に示されたＳ５０１ジャンプする。
【００５１】
一方、受入部１０１に紙幣がない場合は（Ｓ７０３−Ｎｏ）、図６に示されたＳ６０４〜Ｓ６０８の処理をする。続いて、収納繰出部１０３に紙幣があるか否かを判断する（Ｓ７０５）。
【００５２】
収納繰出部１０３に紙幣がある場合は（Ｓ７０５−Ｙｅｓ）、Ｓ７０３へ戻る。一方収納繰出部１０３に紙幣がない場合は（Ｓ７０５−Ｎｏ）、図６に示されたＳ６１０〜Ｓ６１３の処理をし、図７に示されたフローを終了する。
【００５３】
実施例２によれば、受入部１０１からの紙幣の受け入れを優先することによって、処理効率をより高めることができる。
【図面の簡単な説明】
【００５４】
【図１】本発明に係る紙幣処理装置の外部構造を示す斜視図である。
【図２】本発明に係る紙幣処理装置の内部構造を示す概略図である。
【図３】制御部３００の機能を示すブロック図である。
【図４】記憶部３０４に記憶された情報を示す概略図である。
【図５】実施例１に係る制御部３００の処理を示すフローチャートである。
【図６】収納繰出部１０３に収納された紙幣を繰り出す場合の制御部３００の処理を示すフローチャートである。
【図７】実施例２に係る制御装置３００の処理を示すフローチャートである。
【符号の説明】
【００５５】
１０１  受入部
１０２  返却部
１０３  収納繰出部
１０４  集積部
１０５  報知部
１０６  操作表示部
２０１  識別部
２０２  搬送部
２０３  帯状体
２０４  回転軸
２０５  帯状体供給部
３００  制御部
３０１  搬送先集積部決定手段
３０２  集積可否判断手段
３０３  記憶部制御手段
３０４  記憶部
【図１】
2008046870.tif 000003
【図２】
2008046870.tif 000004
【図３】
2008046870.tif 000005
【図４】
2008046870.tif 000006
【図５】
2008046870.tif 000007
【図６】
2008046870.tif 000008
【図７】
2008046870.tif 000009